【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
結合剤（Ａ）、
平均粒子径０．０５〜５ｍｍの粒状透明骨材（Ｂ）、及び
平均粒子径０．１〜８ｍｍの鱗片状光干渉性骨材（Ｅ）を必須成分とし、
前記結合剤（Ａ）の固形分１００重量部に対し、
前記粒状透明骨材（Ｂ）を１００〜４０００重量部、
前記鱗片状光干渉性骨材（Ｅ）を１〜５００重量部
含有することを特徴とする装飾性塗材。
【請求項２】
更に、鱗片状透明骨材（Ｃ）及び／又は真珠光沢顔料（Ｄ）（前記鱗片状光干渉性骨材（Ｅ）は前記真珠光沢顔料（Ｄ）を含まない）を含有することを特徴とする請求項１記載の装飾性塗材。
【請求項３】
請求項１又は２記載の装飾性塗材をシート状に成形して得られる装飾性建材。
【手続補正２】
【補正対象書類名】明細書
【補正対象項目名】０００９
【補正方法】変更
【補正の内容】
【０００９】
すなわち、本発明は以下の特徴を有するものである。
１．結合剤（Ａ）、平均粒子径０．０５〜５ｍｍの粒状透明骨材（Ｂ）、及び平均粒子径０．１〜８ｍｍの鱗片状光干渉性骨材（Ｅ）を必須成分とし、前記結合剤（Ａ）の固形分１００重量部に対し、前記粒状透明骨材（Ｂ）を１００〜４０００重量部、前記鱗片状光干渉性骨材（Ｅ）を１〜５００重量部含有することを特徴とする装飾性塗材。
２．更に、鱗片状透明骨材（Ｃ）及び／又は真珠光沢顔料（Ｄ）（前記鱗片状光干渉性骨材（Ｅ）は前記真珠光沢顔料（Ｄ）を含まない）を含有することを特徴とする１．記載の装飾性塗材。
３．１．又は２.に記載の装飾性塗材をシート状に成形して得られる装飾性建材。
【手続補正３】
【補正対象書類名】明細書
【補正対象項目名】００１９
【補正方法】変更
【補正の内容】
【００１９】
本発明における鱗片状透明骨材（Ｃ）（以下「（Ｃ）成分」という）は、形成塗膜に輝度感を付与するために使用することができる。このような（Ｃ）成分は、鱗片状の厚さ方向において透明性を有するものであればよい。なお、本発明に言う鱗片状とは、厚さの５倍以上（好ましくは１０倍以上）の短径を有する扁平な形状のことである。短径と長径の比は、通常１：１〜１：５程度である。
【手続補正４】
【補正対象書類名】明細書
【補正対象項目名】００２３
【補正方法】変更
【補正の内容】
【００２３】
本発明塗材では、真珠光沢顔料（Ｄ）（以下「（Ｄ）成分」という）を含むことにより、上記（Ｃ）成分配合による輝度感を十分に発現させることが可能となる。本発明に用いる真珠光沢顔料とは、高屈折率の極めて薄い鱗片状（平均厚みは通常０．０５μｍ以上１μｍ未満）であって、入射光を多重反射させて真珠光沢を呈するものである。具体的に（Ｄ）成分としては、白雲母、合成雲母、シリカフレーク、またはガラスフレーク等の基体に、金属または金属酸化物を被覆したものを使用することができる。このうち、金属または金属酸化物に含まれる金属としては、チタン、鉄、アルミニウム、亜鉛、錫、ジルコニウム、コバルト、ニッケル、金、銀等が挙げられる。なお、（Ｄ）成分の平均厚みは、電子顕微鏡による観察により求めることができる。
【手続補正５】
【補正対象書類名】明細書
【補正対象項目名】００２７
【補正方法】変更
【補正の内容】
【００２７】
本発明では、（Ｅ）平均粒子径０．１〜８ｍｍの鱗片状光干渉性骨材（以下「（Ｅ）成分」という）を必須成分とすることによって、形成塗膜に輝度感を付与することもできる。このような（Ｅ）成分としては、鱗片状の形状であって光干渉性を有する限り種々の材料を使用することができるが、例えば、屈折率の異なる樹脂が二層以上積層されたフィルム片、エンボス加工等により微細な凹凸が形成されたフィルム片、ガラス球等の透明球が固着されたフィルム片、あるいはこれらに金属蒸着が施されたもの等が使用できる。このような成分は、光干渉性と透明性を兼備するものであってもよい。なお、上記（Ｃ）成分は通常、光干渉性を有するものではなく、この点において（Ｅ）成分とは異なるものである。
【手続補正６】
【補正対象書類名】明細書
【補正対象項目名】００３２
【補正方法】変更
【補正の内容】
【００３２】
また、本発明の効果が損われない範囲内であれば、上記（Ｂ）成分・（Ｅ）成分以外の骨材を混合することもできる。このような骨材としては、例えば、自然石、自然石の粉砕物等の天然骨材、及び着色骨材等の人工骨材、その他、アルミナフレーク、貝殻片、金属片、ゴム片、プラスチック片、木片等、あるいはこれらの表面を着色コーティングしたもの等を使用することができる。このような骨材を配合することにより、形成塗膜の色相、質感等を調整することができる。また、アクセント的な意匠性を得ることもできる。なお、ここに言う骨材は通常、不透明であり、光干渉性を具備するものでもない。
このような骨材は、（Ｂ）成分と（Ｅ）成分の合計重量よりも少なく配合することが望ましく、具体的にはその合計重量を１とした場合、骨材の比率は０．５以下（好ましくは０．２以下）とすることが望ましい。
【手続補正７】
【補正対象書類名】明細書
【補正対象項目名】００４２
【補正方法】変更
【補正の内容】
【００４２】
（実施例１）
水分散性樹脂２００重量部（固形分１００重量部）に対し、粒状透明骨材Ａを７００重量部、粒状透明骨材Ｂを７００重量部、鱗片状光干渉性骨材を２０重量部、不透明骨材Ａを４０重量部、水を４００重量部、造膜助剤を１０重量部、増粘剤を５重量部、消泡剤を５重量部混合し、常法にて均一に攪拌して塗材１を製造した。
【手続補正８】
【補正対象書類名】明細書
【補正対象項目名】００４３
【補正方法】変更
【補正の内容】
【００４３】
４５０ｍｍ×３００ｍｍのスレート板に対し、白色の下塗材を塗付量０．３ｋｇ／ｍ２で塗装し、４時間乾燥後、上記方法で得られた塗材１をコテを用いて塗付量２ｋｇ／ｍ２で塗装し、４８時間乾燥した。なお、塗材の塗装及び乾燥は、すべて標準状態（温度２３℃・相対湿度５０％）下で行った。
以上の方法で得られた試験体の外観を確認したところ、その結果、得られた塗膜は若干赤味を帯びた白い色調で、透明感と輝度感のいずれにも優れるものとなった。
【手続補正９】
【補正対象書類名】明細書
【補正対象項目名】００４４
【補正方法】変更
【補正の内容】
【００４４】
なお、塗材の製造に使用した原料は、以下の通りである。
・水分散性樹脂：アクリル樹脂エマルション（固形分５０％、ガラス転移温度１８℃）
・粒状透明骨材Ａ：寒水石（平均粒子径０．３ｍｍ、光透過率１６％）
・粒状透明骨材Ｂ：寒水石（平均粒子径０．８ｍｍ、光透過率１６％）
・鱗片状透明骨材：白雲母（平均粒子径２ｍｍ、平均厚み４０μｍ）
・真珠光沢顔料：酸化チタン被覆雲母（平均粒子径３０μｍ）
・鱗片状光干渉性骨材：光干渉性フィルム片（平均粒子径０．５ｍｍ、平均厚み５０μｍ）
・不透明骨材Ａ：着色珪砂（橙色、平均粒子径１５０μｍ）
・造膜助剤：２，２，４−トリメチル−１，３−ペンタンジオールモノイソブチレート
・増粘剤：ヒドロキシエチルセルロース粉
・消泡剤：シリコーン系消泡剤（固形分５０重量％）
【手続補正１０】
【補正対象書類名】明細書
【補正対象項目名】００４５
【補正方法】変更
【補正の内容】
【００４５】
【表１】
2007146174.tif 000001
【手続補正１１】
【補正対象書類名】明細書
【補正対象項目名】００４６
【補正方法】削除
【補正の内容】
【手続補正１２】
【補正対象書類名】明細書
【補正対象項目名】００４７
【補正方法】削除
【補正の内容】
【手続補正１３】
【補正対象書類名】明細書
【補正対象項目名】００４８
【補正方法】削除
【補正の内容】
【手続補正１４】
【補正対象書類名】明細書
【補正対象項目名】００４９
【補正方法】変更
【補正の内容】
【００４９】
（比較例１）
表１に示す配合にて塗材３を製造し、実施例１と同様の方法で試験を行った。その結果、得られた塗膜は若干赤味を帯びた白い色調で、透明感と輝度感を有していたが、やや質感に劣る外観となった。
【手続補正１５】
【補正対象書類名】明細書
【補正対象項目名】００５０
【補正方法】変更
【補正の内容】
【００５０】
（比較例２）
表１に示す配合にて塗材４を製造し、実施例１と同様の方法で試験を行った。その結果、得られた塗膜は若干赤味を帯びた白い色調で、透明感と輝度感を有するものとなったが、輝度感についてはやや不十分であった。
【手続補正１６】
【補正対象書類名】明細書
【補正対象項目名】００５１
【補正方法】削除
【補正の内容】
【手続補正１７】
【補正対象書類名】明細書
【補正対象項目名】００５２
【補正方法】変更
【補正の内容】
【００５２】
（実施例２）
表１に示す配合にて塗材２を製造し、実施例１と同様の方法で試験を行った。その結果、得られた塗膜は若干赤味を帯びた白い色調で、透明感と輝度感のいずれにも優れるものとなった。
【手続補正１８】
【補正対象書類名】明細書
【補正対象項目名】００５３
【補正方法】変更
【補正の内容】
【００５３】
（比較例３）
表１に示す配合にて塗材５を製造し、実施例１と同様の方法で試験を行った。その結果、比較例３では、上記実施例のような仕上外観を得ることはできなかった。
【手続補正１９】
【補正対象書類名】明細書
【補正対象項目名】００５４
【補正方法】削除
【補正の内容】